(57)【要約】【課題】ユーザを取り巻く状況を抽選条件にして抽選を行い得る。【解決手段】ユーザが用いる利用者端末１ｉ（ｉ＝ａ，ｂ，…，ｎ）、抽選権を購入したユーザの中から当選者を決定する抽選者選定サーバ２、インターネット上に存在し、後述するコンテキスト情報を提供する各種情報サイト３、利用者端末１ｉと抽選者選定サーバ２とを相互に通信可能とする移動体通信網４及びインターネット網５、並びにユーザ自身の物理的位置情報を発信する位置発信デバイス６ｊ（ｊ＝ａ，ｂ，…，ｎ）を備えており、抽選者選定サーバ２が、ユーザを取り巻く状況（場所、天気、時間帯、同伴者や行動履歴）に関する情報（コンテキスト情報）を利用者端末１ｉ、各種情報サイト３、及び位置発信デバイス６ｊから通信ネットワーク経由で取得して、該コンテキスト情報を抽選条件にして適宜当選者を決定する。【選択図】図１
2005322118.tif 000002
【特許請求の範囲】
【請求項１】
抽選権を有する利用者を取り巻く状況を抽選条件として当選者を決定する抽選方法であって、
前記抽選権を一意に識別可能な抽選ＩＤと前記利用者を一意に識別可能な利用者ＩＤとを対応付けて記憶するとともに、前記利用者の位置を検出する利用者端末と通信するのに必要な利用者端末ＩＤを、前記利用者ＩＤと対応付けて記憶する利用者情報記憶手段を備えたコンピュータが、
前記抽選ＩＤごとに、前記利用者端末を介して前記利用者の位置を検出する利用者位置検出ステップと、
検出された利用者の位置情報に基づいて、利用者を取り巻く状況に関する情報を利用者のコンテキスト情報として取得するコンテキスト取得ステップと、
前記抽選ＩＤごとに、任意に又は特定の条件指定に従って、利用者を取り巻く状況に関する情報を抽選条件として決定する抽選条件決定ステップと、
決定された抽選条件と取得された利用者のコンテキスト情報とを比較判定し、一致した場合には、該利用者を当選者とする当選者決定ステップと、
を実行することを特徴とする抽選方法。
【請求項２】
前記コンテキスト情報は、利用者の緯度・経度、天候、時刻、及び同伴者に関する情報を含むことを特徴とする請求項１記載の抽選方法。
【請求項３】
前記コンテキスト情報は、さらに、蓄積された過去のコンテキスト情報を分析して算出された利用者の行動傾向に関する情報、及び所定の人間関係を有する他の利用者のコンテキスト情報を含むことを特徴とする請求項２記載の抽選方法。
【請求項４】
前記利用者情報記憶手段は、さらに、前記利用者ＩＤ及び前記抽選ＩＤごとに、抽選権を行使できる権利回数及びこのうち既に利用した利用回数を記憶し、
前記当選者決定手段は、前記利用回数に応じて当選における配当率を決定することを特徴とする請求項１乃至３のいずれか１項に記載の抽選方法。
【請求項５】
抽選権を有する利用者を取り巻く状況を抽選条件として当選者を決定する抽選装置であって、
前記抽選権を一意に識別可能な抽選ＩＤと前記利用者を一意に識別可能な利用者ＩＤとを対応付けて記憶するとともに、前記利用者の位置を検出する利用者端末と通信するのに必要な利用者端末ＩＤを、前記利用者ＩＤと対応付けて記憶する利用者情報記憶手段と、
前記抽選ＩＤごとに、前記利用者端末を介して前記利用者の位置を検出する利用者位置検出手段と、
検出された利用者の位置情報に基づいて、利用者を取り巻く状況に関する情報を利用者のコンテキスト情報として取得するコンテキスト取得手段と、
前記抽選ＩＤごとに、任意に又は特定の条件指定に従って、利用者を取り巻く状況に関する情報を抽選条件として決定する抽選条件決定手段と、
決定された抽選条件と取得された利用者のコンテキスト情報とを比較判定し、一致した場合には、該利用者を当選者とする当選者決定手段と、
を有することを特徴とする抽選装置。
【請求項６】
前記コンテキスト情報は、利用者の緯度・経度、天候、時刻、及び同伴者に関する情報を含むことを特徴とする請求項５記載の抽選装置。
【請求項７】
前記コンテキスト情報は、さらに、蓄積された過去のコンテキスト情報を分析して算出された利用者の行動傾向に関する情報、及び所定の人間関係を有する他の利用者のコンテキスト情報を含むことを特徴とする請求項６記載の抽選装置。
【請求項８】
前記利用者情報記憶手段は、さらに、前記利用者ＩＤ及び前記抽選ＩＤごとに、抽選権を行使できる権利回数及びこのうち既に利用した利用回数を記憶し、
前記当選者決定手段は、前記利用回数に応じて当選における配当率を決定することを特徴とする請求項５乃至７のいずれか１項に記載の抽選装置。
【請求項９】
抽選権を有する利用者を取り巻く状況を抽選条件として当選者を決定するコンピュータのための抽選プログラムであって、
前記抽選権を一意に識別可能な抽選ＩＤと前記利用者を一意に識別可能な利用者ＩＤとを対応付けて記憶するとともに、前記利用者の位置を検出する利用者端末と通信するのに必要な利用者端末ＩＤを、前記利用者ＩＤと対応付けて記憶する利用者情報記憶手段を備えた前記コンピュータに、
前記抽選ＩＤごとに、前記利用者端末を介して前記利用者の位置を検出する利用者位置検出ステップと、
検出された利用者の位置情報に基づいて、利用者を取り巻く状況に関する情報を利用者のコンテキスト情報として取得するコンテキスト取得ステップと、
前記抽選ＩＤごとに、任意に又は特定の条件指定に従って、利用者を取り巻く状況に関する情報を抽選条件として決定する抽選条件決定ステップと、
決定された抽選条件と取得された利用者のコンテキスト情報とを比較判定し、一致した場合には、該利用者を当選者とする当選者決定ステップと、
を実行させることを特徴とする抽選プログラム。
【請求項１０】
前記コンテキスト情報は、利用者の緯度・経度、天候、時刻、及び同伴者に関する情報を含むことを特徴とする請求項９記載の抽選プログラム。
【請求項１１】
前記コンテキスト情報は、さらに、蓄積された過去のコンテキスト情報を分析して算出された利用者の行動傾向に関する情報、及び所定の人間関係を有する他の利用者のコンテキスト情報を含むことを特徴とする請求項１０記載の抽選プログラム。
【請求項１２】
前記利用者情報記憶手段は、さらに、前記利用者ＩＤ及び前記抽選ＩＤごとに、抽選権を行使できる権利回数及びこのうち既に利用した利用回数を記憶し、
前記当選者決定手段は、前記利用回数に応じて当選における配当率を決定することを特徴とする請求項９乃至１１のいずれか１項に記載の抽選プログラム。
【発明の詳細な説明】
【技術分野】
【０００１】
本発明は、抽選処理技術に関し、特に、通信ネットワークを介して収集したユーザの状況に応じて当選者を決定する抽選方法、抽選装置、及び抽選プログラムに関する。
【背景技術】
【０００２】
従来、抽選方法には、宝くじのように抽選事業者が抽選権を発行し、ユーザはその抽選権を購入し、後日、乱数発生機などにより当選番号を決め、当選者を決めるもの（例えば、特許文献１参照。）や、競売やサッカーなどの勝つ順番をユーザが予想し、その結果の合致により、当選者を決める抽選方法などがある。
【０００３】
これらは、抽選条件を予め指定し、抽選権を購入する際に抽選条件が決まっていた。
【特許文献１】特開平７−１３１５３３号公報
【発明の開示】
【発明が解決しようとする課題】
【０００４】
しかしながら、抽選権を購入後に、ユーザの実行動に応じて、抽選条件を柔軟に設定したい場合がある。例えば、抽選事業者（主催者）である企業Ａが行う抽選においては、企業Ａが望む抽選条件を、今日、新宿にカップルで来ている人とし、このような人を当選者として景品を渡したいという場合などが考えられる（尚、抽選条件はランダムに決定されてもよい）。また、例えば、予め、主催者が実行動に応じた抽選条件を公開しておき、ユーザは、公開された抽選条件を自らの実行動に鑑みて、抽選権を行使したいという場合も考えられる。このようなケースにおいては、上述した従来の抽選方法では実現できないという問題がある。
【０００５】
本発明は、上記の事情を鑑みてなされたものであり、ユーザを取り巻く状況を抽選条件にして抽選を行い得る抽選方法、抽選装置、及び抽選プログラムを提供することを目的とする。
【課題を解決するための手段】
【０００６】
上記目的を達成するため、本発明に係る抽選方法は、次のように構成される。
【０００７】
本発明に係る抽選方法は、抽選権を有する利用者を取り巻く状況を抽選条件として当選者を決定する抽選方法であって、前記抽選権を一意に識別可能な抽選ＩＤと前記利用者を一意に識別可能な利用者ＩＤとを対応付けて記憶するとともに、前記利用者の位置を検出する利用者端末と通信するのに必要な利用者端末ＩＤを、前記利用者ＩＤと対応付けて記憶する利用者情報記憶手段を備えたコンピュータが、前記抽選ＩＤごとに、前記利用者端末を介して前記利用者の位置を検出する利用者位置検出ステップと、検出された利用者の位置情報に基づいて、利用者を取り巻く状況に関する情報を利用者のコンテキスト情報として取得するコンテキスト取得ステップと、前記抽選ＩＤごとに、任意に又は特定の条件指定に従って、利用者を取り巻く状況に関する情報を抽選条件として決定する抽選条件決定ステップと、決定された抽選条件と取得された利用者のコンテキスト情報とを比較判定し、一致した場合には、該利用者を当選者とする当選者決定ステップと、を実行することを特徴とする。
【０００８】
好適には、前記コンテキスト情報は、利用者の緯度・経度、天候、時刻、及び同伴者に関する情報を含むことを特徴とする。
【０００９】
また、前記コンテキスト情報は、さらに、蓄積された過去のコンテキスト情報を分析して算出された利用者の行動傾向に関する情報、及び所定の人間関係を有する他の利用者のコンテキスト情報を含むことを特徴とする。
【００１０】
好適には、前記利用者情報記憶手段は、さらに、前記利用者ＩＤ及び前記抽選ＩＤごとに、抽選権を行使できる権利回数及びこのうち既に利用した利用回数を記憶し、前記当選者決定手段は、前記利用回数に応じて当選における配当率を決定することを特徴とする。
【００１１】
また、本発明に係る抽選装置は、次のように構成される。
【００１２】
本発明に係る抽選装置は、抽選権を有する利用者を取り巻く状況を抽選条件として当選者を決定する抽選装置であって、前記抽選権を一意に識別可能な抽選ＩＤと前記利用者を一意に識別可能な利用者ＩＤとを対応付けて記憶するとともに、前記利用者の位置を検出する利用者端末と通信するのに必要な利用者端末ＩＤを、前記利用者ＩＤと対応付けて記憶する利用者情報記憶手段と、前記抽選ＩＤごとに、前記利用者端末を介して前記利用者の位置を検出する利用者位置検出手段と、検出された利用者の位置情報に基づいて、利用者を取り巻く状況に関する情報を利用者のコンテキスト情報として取得するコンテキスト取得手段と、前記抽選ＩＤごとに、任意に又は特定の条件指定に従って、利用者を取り巻く状況に関する情報を抽選条件として決定する抽選条件決定手段と、決定された抽選条件と取得された利用者のコンテキスト情報とを比較判定し、一致した場合には、該利用者を当選者とする当選者決定手段と、を有することを特徴とする。
【００１３】
好適には、前記コンテキスト情報は、利用者の緯度・経度、天候、時刻、及び同伴者に関する情報を含むことを特徴とする。
【００１４】
また、前記コンテキスト情報は、さらに、蓄積された過去のコンテキスト情報を分析して算出された利用者の行動傾向に関する情報、及び所定の人間関係を有する他の利用者のコンテキスト情報を含むことを特徴とする。
【００１５】
好適には、前記利用者情報記憶手段は、さらに、前記利用者ＩＤ及び前記抽選ＩＤごとに、抽選権を行使できる権利回数及びこのうち既に利用した利用回数を記憶し、前記当選者決定手段は、前記利用回数に応じて当選における配当率を決定することを特徴とする。
【００１６】
また、本発明に係る抽選プログラムは、次のように構成される。
【００１７】
抽選権を有する利用者を取り巻く状況を抽選条件として当選者を決定するコンピュータのための抽選プログラムであって、前記抽選権を一意に識別可能な抽選ＩＤと前記利用者を一意に識別可能な利用者ＩＤとを対応付けて記憶するとともに、前記利用者の位置を検出する利用者端末と通信するのに必要な利用者端末ＩＤを、前記利用者ＩＤと対応付けて記憶する利用者情報記憶手段を備えた前記コンピュータに、前記抽選ＩＤごとに、前記利用者端末を介して前記利用者の位置を検出する利用者位置検出ステップと、検出された利用者の位置情報に基づいて、利用者を取り巻く状況に関する情報を利用者のコンテキスト情報として取得するコンテキスト取得ステップと、前記抽選ＩＤごとに、任意に又は特定の条件指定に従って、利用者を取り巻く状況に関する情報を抽選条件として決定する抽選条件決定ステップと、決定された抽選条件と取得された利用者のコンテキスト情報とを比較判定し、一致した場合には、該利用者を当選者とする当選者決定ステップと、を実行させることを特徴とする。
【００１８】
好適には、前記コンテキスト情報は、利用者の緯度・経度、天候、時刻、及び同伴者に関する情報を含むことを特徴とする。
【００１９】
前記コンテキスト情報は、さらに、蓄積された過去のコンテキスト情報を分析して算出された利用者の行動傾向に関する情報、及び所定の人間関係を有する他の利用者のコンテキスト情報を含むことを特徴とする。
【００２０】
好適には、前記利用者情報記憶手段は、さらに、前記利用者ＩＤ及び前記抽選ＩＤごとに、抽選権を行使できる権利回数及びこのうち既に利用した利用回数を記憶し、前記当選者決定手段は、前記利用回数に応じて当選における配当率を決定することを特徴とする。
【発明の効果】
【００２１】
本発明によれば、ユーザの取り巻く状況（場所、天気、時間帯、同伴者や行動履歴）を抽選条件にして、柔軟に抽選を行うことができるので、抽選主催者の意図を反映した抽選条件を設定できるとともに、抽選主催者が望む属性のユーザに当選品を提供することができる。また、主催者が実行動に応じた抽選条件を公開する場合には、ユーザは、公開された抽選条件を自らの実行動に鑑みて、抽選権を行使することができるので、ユーザの意図を反映した抽選も可能となる。
【発明を実施するための最良の形態】
【００２２】
以下、本発明の実施の形態を図面を用いて説明する。
【００２３】
＜第１の実施の形態＞
図１は、本発明の第１の実施の形態に係る抽選システム１００の概略構成図である。図１に示す抽選システム１００は、ユーザが用いる利用者端末１ｉ（ｉ＝ａ，ｂ，…，ｎ）、抽選権を購入した（抽選に申し込んだ）ユーザの中から当選者を決定する抽選者選定サーバ２、インターネット上に存在し、後述するコンテキスト情報を提供する各種情報サイト３、利用者端末１ｉと抽選者選定サーバ２とを相互に通信可能とする移動体通信網４及びインターネット網５、並びにユーザ自身の物理的位置情報を発信する位置発信デバイス６ｊ（ｊ＝ａ，ｂ，…，ｎ）を備えており、抽選者選定サーバ２が、ユーザを取り巻く状況（場所、天気、時間帯、同伴者や行動履歴）に関する情報（以下、コンテキスト情報という。）を利用者端末１ｉ、各種情報サイト３、及び位置発信デバイス６ｊから通信ネットワーク経由で取得して、該コンテキスト情報を抽選条件にして適宜当選者を決定するようになっている。ここで、第１の実施の形態においては、ＰＵＳＨ型抽選方法、即ち、ユーザの操作の有無に関わらず、抽選者選定サーバ２が抽選処理を行い、抽選者選定サーバ２からユーザに対して当選者情報を通知する抽選方法、を採用したものである。
【００２４】
尚、利用者端末１ｉは、例えば、具体的には、携帯電話やＰＨＳ（Personal Handy-phone System）などの携帯電話端末、パーソナルデジタルアシスタンス（ＰＤＡ）、パーソナルコンピュータ、ＩＣカードなどが含まれるものである。また、位置発信デバイス６ｊは、例えば、具体的には、ＰＨＳやＲＦＩＤ（Radio Frequency IDentification）無線タグなどを利用する場合が想定されるものである。ここで、ユーザが携行する利用者端末１ｉおよび位置発信デバイス６ｊは、物理的に別々のデバイスであってもよいし、同一のデバイス上に両機能が具備されるものであってもよい。ここで、位置情報発信デバイス６ｊにＰＨＳを利用する場合には、ＰＨＳの基地局情報を位置情報として利用できるものである。また、位置情報発信デバイス６ｊにＲＦＩＤタグを利用する場合は、例えば、ユーザが携行する位置情報発信デバイス６ｊがＲＦＩＤタグリーダの機能を有し、各地に設置されたタグ情報を読み、読み込んだタグ情報を位置情報として利用できるものである（この他、位置発信デバイス６ｊが各地に設置された状況においては、利用者に付加されたタグ情報を読み取った位置発信デバイス６ｊの設置位置を位置情報として利用してもよい）。
【００２５】
さらに詳しくは、抽選者選定サーバ２は、利用者端末１ｉ、各種情報サイト３、及び位置発信デバイス６ｊとインターネット網５を介して情報の送受信を行う情報送受信部２１、所定の時点のコンテキスト情報を収集するコンテキスト収集部２２、収集されたコンテキスト情報の時間的変化や複数コンテキスト間の関係などに着目して加工するコンテキスト加工部２３、収集もしくは加工されたコンテキスト情報を記憶し、管理するコンテキスト管理部２４、ユーザの識別子やパスワードなどの各種ユーザ情報を記憶し、管理するユーザ情報管理部２５、抽選者選定サーバ２の各モジュールに指示を出し、コンテンツ管理処理全体を指揮する中央処理部２６、抽選条件をランダム又は所定の指示に基づき生成する抽選条件生成部２７、抽選条件生成部２７によって生成された抽選条件を記憶し、管理する抽選条件管理部２８、及びコンテキスト管理部２４で管理されているユーザのコンテキスト情報と抽選条件管理部２８で管理されている抽選条件の合致により、当選者を決定する合致条件判定部２９を具備する構成である。
【００２６】
尚、上述した抽選者選定サーバ２は、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また、抽選者選定サーバ２は、主記憶装置の他、ハードディスクなどの補助記憶装置を具備していてもよい。
【００２７】
このうち、情報送受信部２１、コンテキスト収集部２２、コンテキスト加工部２３、中央処理部２６、抽選条件生成部２７、合致条件判定部２９は、上記ＣＰＵによる演算制御機能を具体的に示したものに他ならない。また、コンテキスト管理部２４、ユーザ情報管理部２５、抽選条件管理部２８、及び配当率管理機能部３０は、上記主記憶装置及び補助記憶装置の機能を備えたものである。
【００２８】
また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００２９】
さらに、図１に示すシステム構成は、論理的な機能構成図であるため、抽選者選定サーバ２は、物理的に一つからなる装置の他、複数の装置がネットワーク接続されたシステムなどのいずれの構成であってもよい。例えば、上記各部をＣＯＲＢＡやＴＣＰ／ＩＰなどの通信プロトコルを用いて、物理的に別のサーバに分散配備することも可能である。
【００３０】
次に、抽選者選定サーバ２で管理されるデータについて、詳しく説明する。
【００３１】
ユーザ情報管理部２５には、予めユーザの抽選権に関する情報及びユーザ情報が何らかの方法で投入されるが、図２及び図３は、このユーザ情報管理部２５で管理される情報を示している。図２は、ユーザにより申し込まれたユーザの抽選権に関する情報ｄ１を示しており、具体的には、項目としてユーザＩＤ、イベントＩＤ、Ｐｉｄ、及び発行日時を備えるものである。尚、ユーザＩＤは、ユーザを一意に識別可能なＩＤ、イベントＩＤは、抽選のイベントをユニークに特定するＩＤ、即ち、複数ある抽選の中でどの抽選にユーザが参加中かを示すＩＤ、Ｐｉｄは、ひとつのイベントに対して複数の判定条件を指定する際に利用するキーＩＤである（Ｐｉｄは設定されなくてもよい）。図３は、ユーザプロファイルを示すユーザ情報ｄ２を示しており、具体的には、項目としてユーザＩＤ、パスワード、ＩＰアドレス、及びＰＨＳ番号を備えるものである。ここで、ＩＰアドレス及びＰＨＳ番号は、ユーザが携行する利用者端末１ｉ及び位置発信デバイス６ｊを特定するものである。
【００３２】
図４は、コンテキスト管理部２４で管理される、ユーザのコンテキスト情報ｄ３を示しており、具体的には、緯度・経度、最寄り駅、日時、ユーザＩＤ、同伴人数、同伴者、天気、訪問頻度などの情報を備えるものである。尚、緯度・経度は、位置発信デバイス６ｊから取得した位置情報をもとに設定されるものであり、日時には、コンテキストを収集した日時が付与される。
【００３３】
また、最寄り駅に関しては、取得した位置情報及び情報サイト３（位置情報と駅との対応付けがなされている情報サイト）から設定されるものである。また、同伴人数に関しては、自己と他のユーザの位置情報が予め定められた一定の距離以内にあるときは、同伴していると判断し、人数が算出されるものである。また、同伴者に関しては、ユーザと一定の関係にある特定ユーザ（例えば、友人及び恋人など）の情報を予め登録しておくとともに（ユーザＩＤ、位置発信デバイス６ｊのＩＰアドレスやＰＨＳ番号など）、これら特定ユーザとの距離が一定の距離以内であるときは、特定ユーザと一緒であると判断して、同伴者が誰であるかということを把握するものである。また、天候に関しては、取得した位置情報及び天候に関する情報サイト３から取得するものである。また、訪問頻度は、ユーザの位置情報の履歴を分析することにより、算出されるものである。
【００３４】
図５は、抽選条件管理部２８で管理される抽選条件情報ｄ４を示しており、具体的には、イベントＩＤ及びＰｉｄごとに（又はイベントＩＤごと）、緯度・経度、最寄り駅、日時、同伴人数、同伴者、天気、訪問頻度などの抽選条件及び当選者の残り人数を管理している。
【００３５】
次に、本実施の形態に係る抽選システム１００の動作を図６を用いて説明する。ここで、図６は、抽選者選定サーバ２におけるコンテキスト収集および抽選処理を説明するフローチャートである。
【００３６】
まず、抽選者選定サーバ２のコンテンツ収集部２２は、定期的にユーザのコンテキスト情報を収集するため、例えば１時間間隔で、ユーザのコンテキストを収集する。そのため、コンテキスト収集部２２は、抽選権保有者をユーザ情報管理部２５に問い合わせ、取得する（ステップＳ１０）。これは、イベントＩＤ及びＰｉｄごとに（又は、イベントＩＤごとに）、図２に示す抽選権に関する情報ｄ１から該当するユーザを取得するものである。
【００３７】
次に、取得したユーザＩＤと図３に示すユーザ情報ｄ２から、ユーザの位置発信デバイス６ｊに関する情報（ＩＰアドレス、ＰＨＳ番号）を取得し、そのユーザの位置発信デバイス６ｊに位置情報取得要求を送信する（ステップＳ２０，Ｓ３０）。一方、位置発信デバイス６ｊは、ユーザの位置情報を取得し、コンテキスト情報収集部２２へ返送するので、抽選者選定サーバ２は、返送された位置情報を緯度・経度としてコンテキスト情報管理部２４に記憶する（ステップＳ４０）。
【００３８】
このとき、コンテキスト情報収集部２２は、最寄り駅情報を取得するとともに、必要であれば抽選権保持者の友人や恋人などの特定ユーザの位置情報も同時に取得し、ユーザと特定ユーザ間の距離を計算し、一定距離内にいる場合には、同伴人数及び同伴者に関するコンテキスト情報として取得することも可能である（ステップＳ５０）。
【００３９】
また、コンテキスト情報収集部２２は、例えば、取得したユーザの位置における天候などの情報を各種情報サイト３から取得することも可能である（ステップ５０）。尚、取得した同伴人数、同伴者、天気などのコンテキスト情報は、コンテキスト情報管理部２４に記憶する。
【００４０】
次に、コンテキスト情報収集部２２は、取得したコンテキスト情報ｄ３、並びに、イベントＩＤ及びＰｉｄ（又は、イベントＩＤ；以下同じ）を中央処理部２６に送信する。中央処理部２６は受信したコンテキスト情報ｄ３、並びにイベントＩＤ及びＰｉｄを合致条件判定部２９に送信する。合致条件判定部２９は、中央処理部２６から送信されたコンテキスト情報ｄ３、並びにイベントＩＤ及びＰｉｄを受信すると、イベントＩＤ及びＰｉｄをキーに抽選条件管理部２８に抽選条件を問い合わせる（ステップＳ６０）。
【００４１】
抽選条件管理部２８は、合致条件判定部２９から送信されたイベントＩＤ及びＰｉｄをキーに抽選条件の内容（図５に示す抽選条件情報ｄ４）を合致条件判定部２９に返却する。
【００４２】
合致条件判定部２９は、抽選条件管理部２８から取得した抽選条件情報ｄ４と中央処理部２７から取得したコンテキスト情報ｄ３のマッチングを行う（ステップＳ７０）。このとき、マッチングの判断となるデータは、文字列でもよいし、数値でもよいし、バイナリーデータでもよい。またマッチングの条件には、ＡＮＤ，ＮＯＴ，ＯＲの論理演算及び不等号“＜”“＝”“＞”を含む。
【００４３】
抽選条件管理部２８から取得した抽選条件情報ｄ４とユーザのコンテキスト情報ｄ３が合致した場合には、該ユーザは当選者となるので、抽選条件管理部２８に対して図５に示す抽選条件情報ｄ４の残り人数（当選可能な人数）をディクリメントするよう要求するとともに、当選者のログ情報を書き込む（ステップＳ８０，Ｓ９０，Ｓ１００）。ここで、図７は、イベントＩＤ、Ｐｉｄ、ユーザＩＤ、抽選決定日時からなるログ情報である。尚、このログ情報を基に、当選者に対して所定の当選品（景品や景品等のための権利など。予め、イベントＩＤ及びＰｉｄごとに当選品は決められているとする）が付与されるものである。
【００４４】
これに対して、抽選条件管理部２８から取得した抽選条件情報ｄ４とユーザのコンテキスト情報ｄ３が合致しない場合には、抽選ははずれとなる（ステップＳ１１０）。
【００４５】
最後に、ユーザに対して抽選結果に関する情報を通知する（ステップＳ１２０）。これは、メールで通知してもよいし、Ｗｅｂ上で通知してもよい。
【００４６】
従って、本実施の形態によれば、今までになかった抽選方法をユーザに提供することができる。即ち、ユーザの取り巻く状況（場所、天気、時間帯、同伴者や行動履歴）を抽選条件にして、柔軟に抽選を行うことができるので、抽選主催者の意図を反映した抽選条件を設定できるとともに、抽選主催者が望むユーザに当選品を提供することができる。
【００４７】
＜第２の実施の形態＞
図８は、本発明の第２の実施の形態に係る抽選システム２００の概略構成図である。図８に示す抽選システム２００は、ユーザが用いる利用者端末１ｉ（ｉ＝ａ，ｂ，…，ｎ）、抽選権を購入した（あるいは、抽選に申し込んだ）ユーザの中から当選者を決定する抽選者選定サーバ７、インターネット上に存在し、コンテキスト情報を提供する各種情報サイト３、利用者端末１ｉと抽選者選定サーバ７とを相互に通信可能とする移動体通信網４及びインターネット網５、並びにユーザ自身の物理的位置情報を発信する位置発信デバイス６ｊ（ｊ＝ａ，ｂ，…，ｎ）を備えており、抽選者選定サーバ７が、ユーザを取り巻く状況（場所、天気、時間帯、同伴者や行動履歴）に関する情報（コンテキスト情報）を利用者端末１ｉ、各種情報サイト３、及び位置発信デバイス６ｊから通信ネットワーク経由で取得して、該コンテキスト情報を抽選条件にして適宜当選者を決定するようになっている。ここで、第２の実施の形態においては、ＰＵＬＬ型抽選方法、即ち、利用者の操作をきっかけとして、抽選者選定サーバ７が抽選処理を行い、抽選者選定サーバ７からユーザに対して当選者情報を送信する抽選方法、を採用したものである。尚、本実施の形態においては、第１の実施の形態と異なる構成及び機能のみ説明し、その他の構成及び機能に関しては同一部分には同一符号を付して説明を省略する。
【００４８】
さらに詳しくは、抽選者選定サーバ７は、利用者端末１ｉ、各種情報サイト３、及び位置発信デバイス６ｊとインターネット網５を介して情報の送受信を行う情報送受信部２１、所定の時点のコンテキスト情報を収集するコンテキスト収集部２２、収集されたコンテキスト情報の時間的変化や複数コンテキスト間の関係などに着目して加工するコンテキスト加工部２３、収集もしくは加工されたコンテキスト情報を記憶し、管理するコンテキスト管理部２４、ユーザの識別子やパスワードなどの各種ユーザ情報を記憶し、管理するユーザ情報管理部７１、抽選者選定サーバ７の各モジュールに指示を出し、コンテンツ管理処理全体を指揮する中央処理部２６、抽選条件をランダム又は所定の指示に基づき生成する抽選条件生成部２７、抽選条件生成部２７によって生成された抽選条件を記憶し、管理する抽選条件管理部２８、コンテキスト管理部２４で管理されているユーザのコンテキスト情報と抽選条件管理部２８で管理されている抽選条件の合致を確認する合致条件判定部２９、及び抽選が確定したときの配当率を記憶し、管理している配当率管理機能部７２を具備する構成である。
【００４９】
尚、上述した抽選者選定サーバ７は、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また、抽選者選定サーバ７は、主記憶装置の他、ハードディスクなどの補助記憶装置を具備していてもよい。このうち、ユーザ情報管理部７１、及び配当率管理機能部７２は、上記主記憶装置及び補助記憶装置の機能を備えたものである。
【００５０】
また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００５１】
さらに、図８に示すシステム構成は、論理的な機能構成図であるため、抽選者選定サーバ７は、物理的に一つからなる装置の他、複数の装置がネットワーク接続されたシステムなどのいずれの構成であってもよい。例えば、上記各部をＣＯＲＢＡやＴＣＰ／ＩＰなどの通信プロトコルを用いて、物理的に別のサーバに分散配備することも可能である。
【００５２】
ここで、ユーザ情報管理部７１には、上述した図２及び図３に示す抽選権に関する情報ｄ１及びユーザ情報ｄ２の他、図９に示すような利用回数情報ｄ５も管理されている。ここで、利用回数情報ｄ５は、具体的には、ユーザＩＤ、イベントＩＤ、利用回数、及び権利回数などの情報を備えており、ユーザのイベントごとに抽選できる回数を権利回数として、また、そのうち抽選権を行使した回数を利用回数として管理しているものである。尚、権利回数は所定の回数に限定される場合の他、無制限であってもよい。
【００５３】
また、図１０は、配当率管理部７２で管理される、配当率情報ｄ６を示しており、具体的には、イベントＩＤ、Ｐｉｄ、配当率、及び利用回数などの情報を備えており、利用回数に応じて配当率を変えているものである（例えば、利用回数が少ない方が配当率が高いなど）。
【００５４】
次に、本実施の形態に係る抽選システム２００の動作を図１１を用いて説明する。ここで、図１１は、抽選者選定サーバ７におけるコンテキスト収集および抽選処理を説明するフローチャートである。
【００５５】
まず、ユーザは、利用者端末１ｉから抽選者選定サーバ７の情報送受信部２１を介して中央処理部２６に対してログイン要求を送信する（具体的には、http、https、smtp、TCP/IPなどの通信プロトコルを利用して行う）。中央処理部２６は、情報送受信部２１を介して、ユーザ認証要求を利用者端末１ｉに送信する。利用者端末１ｉは、ユーザが入力した認証情報、例えば、ユーザＩＤやパスワードを情報送受信部２１を介して中央処理部２６へ返送する。中央処理部２６は、ユーザ情報管理部７１に格納されている図３に示すようなユーザ毎のパスワード情報を参照し、ユーザ認証を実施する（ステップＳ２１０）。
【００５６】
ユーザ認証に成功すると、中央処理部２６は、抽選権保有者をユーザ情報管理部２５に問い合わせ、取得するとともに、取得した抽選権保有者のユーザＩＤ及びイベントＩＤから、ユーザ情報管理部７１で管理されている利用回数情報ｄ５の通知回数をインクリメントする（ステップＳ２２０，Ｓ２３０）。
【００５７】
次いで、利用回数が権利回数以内であれば、コンテンツ収集部２２に対して、認証に成功したユーザのコンテキスト情報を収集するよう指示する。これは、取得したユーザＩＤと図３に示すユーザ情報ｄ２から、ユーザの位置発信デバイス６に関する情報（ＩＰアドレス、ＰＨＳ番号）を取得し、そのユーザの位置発信デバイス６に位置情報取得要求を送信するものである（ステップＳ２４０，Ｓ２５０）。一方、位置発信デバイス６ｊは、ユーザの位置情報を取得し、コンテキスト情報収集部２２へ返送するので、抽選者選定サーバ２は、返送された位置情報を緯度・経度としてコンテキスト情報管理部２４に記憶する（ステップＳ２６０）。
【００５８】
このとき、コンテキスト情報収集部２２は、最寄り駅情報を取得するとともに、必要であれば抽選権保持者の友人や恋人などの特定ユーザの位置情報も同時に取得し、ユーザと特定ユーザ間の距離を計算し、一定距離内にいる場合には、同伴人数及び同伴者に関するコンテキスト情報として取得することも可能である（ステップＳ２７０）。
【００５９】
また、コンテキスト情報収集部２２は、例えば、取得したユーザの位置における天候などの情報を各種情報サイト３から取得することも可能である（ステップＳ２７０）。尚、取得した同伴人数、同伴者、天気などのコンテキスト情報は、コンテキスト情報管理部２４に記憶する。
【００６０】
次に、コンテキスト情報収集部２２は、取得したコンテキスト情報ｄ３、並びに、イベントＩＤ及びＰｉｄ（又は、イベントＩＤ；以下同じ）を中央処理部２６に送信する。中央処理部２６は受信したコンテキスト情報ｄ３、並びにイベントＩＤ及びＰｉｄを合致条件判定部２９に送信する。合致条件判定部２９は、中央処理部２６から送信されたコンテキスト情報ｄ３、並びにイベントＩＤ及びＰｉｄを受信すると、イベントＩＤ及びＰｉｄをキーに抽選条件管理部２８に抽選条件を問い合わせる（ステップＳ２８０）。
【００６１】
抽選条件管理部２８は、合致条件判定部２９から送信されたイベントＩＤ及びＰｉｄをキーに抽選条件の内容（図５に示す抽選条件情報）を合致条件判定部２９に返却する。
【００６２】
合致条件判定部２９は、抽選条件管理部２８から取得した抽選条件情報ｄ４と中央処理部２７から取得したコンテキスト情報のマッチングを行う（ステップＳ２９０）。このとき、マッチングの判断となるデータは、文字列でもよいし、数値でもよいし、バイナリーデータでも良い。またマッチングの条件には、ＡＮＤ，ＮＯＴ，ＯＲの論理演算及び不等号“＜”“＝”“＞”を含む。
【００６３】
抽選条件管理部２８から取得した抽選条件情報ｄ４とユーザのコンテキスト情報ｄ３が合致した場合には、該ユーザは当選者となるので、抽選条件管理部２８に対して図５に示す抽選条件情報ｄ４の残り人数（当選可能な人数）をディクリメントするよう要求するとともに、当選者のログ情報を書き込む（ステップＳ３００，Ｓ３１０，Ｓ３２０）。
【００６４】
次いで、合致判定部２９は、図９に示す利用回数情報ｄ５の利用回数を取得し、イベントＩＤ、Ｐｉｄ及び取得した利用回数をキーに図１０に示す配当率情報から該当する配当率に関する情報を取得して、当選品（景品や景品等のための権利など）を決定する（ステップＳ３３０）。
【００６５】
これに対して、抽選条件管理部２８から取得した抽選条件情報ｄ４とユーザのコンテキスト情報ｄ３が合致しない場合には、抽選ははずれとなる（ステップＳ３４０）。
【００６６】
最後に、ユーザに対して抽選結果に関する情報を通知する（ステップＳ２５０）。これは、メールで通知してもよいし、Ｗｅｂ上で通知してもよい。
【００６７】
従って、本実施の形態によれば、今までになかった抽選方法をユーザに提供することができる。即ち、ユーザの取り巻く状況（場所、天気、時間帯、同伴者や行動履歴）を抽選条件にして、柔軟に抽選を行うことができるので、主催者が実行動に応じた抽選条件を公開する場合には、ユーザは、公開された抽選条件を自らの実行動に鑑みて、ユーザの意図を反映した抽選権を行使することができる。
【図面の簡単な説明】
【００６８】
【図１】本発明の第１の実施の形態に係る抽選システムの概略構成図である。
【図２】本発明の第１の実施の形態に係る抽選システムにおいてユーザの抽選権に関する情報を説明する図である。
【図３】本発明の第１の実施の形態に係る抽選システムにおいてユーザ情報の構成を説明する図である。
【図４】本発明の第１の実施の形態に係る抽選システムにおいてコンテキスト情報の構成を説明する図である。
【図５】本発明の第１の実施の形態に係る抽選システムにおいて抽選条件情報の構成を説明する図である。
【図６】本発明の第１の実施の形態に係る抽選システムの動作を説明するフローチャート図である。
【図７】本発明の第１の実施の形態に係る抽選システムにおいて当選者のログ情報の構成を説明する図である。
【図８】本発明の第２の実施の形態に係る抽選システムの概略構成図である。
【図９】本発明の第２の実施の形態に係る抽選システムにおいて利用回数情報の構成を説明する図である。
【図１０】本発明の第２の実施の形態に係る抽選システムにおいて配当率情報の構成を説明する図である。
【図１１】本発明の第２の実施の形態に係る抽選システムの動作を説明するフローチャート図である。
【符号の説明】
【００６９】
１ｉ  利用者端末
２，７  抽選者選定サーバ（抽選装置の一例）
３  各種情報サイト
４  移動体通信網
５  インターネット網
６ｊ  位置発信デバイス
２１  情報送受信部
２２  コンテキスト収集部
２３  コンテキスト加工部
２４  コンテキスト管理部
２５，７１  ユーザ情報管理部
２６  中央処理部
２７  抽選条件生成部
２８  抽選条件管理部
２９  合致条件管理部
７２  配当率管理部
１００，２００  抽選システム
【図１】
2005322118.tif 000003
【図２】
2005322118.tif 000004
【図３】
2005322118.tif 000005
【図４】
2005322118.tif 000006
【図５】
2005322118.tif 000007
【図６】
2005322118.tif 000008
【図７】
2005322118.tif 000009
【図８】
2005322118.tif 000010
【図９】
2005322118.tif 000011
【図１０】
2005322118.tif 000012
【図１１】
2005322118.tif 000013